(57)【要約】【課題】消費電力を低減するとともに、所望の画面が表示されるまでの進捗状況をユーザが容易に把握することが可能な端末装置を提供する。【解決手段】ある実施の形態に従う端末装置は、画像を表示させる表示パネルと、前記表示パネルを照明する光源としてのバックライトと、前記表示パネルの表示を制御するとともに、前記バックライトの輝度を制御するプロセッサとを含む。前記プロセッサは、ユーザの所望の画面を前記表示パネルに表示するために実行する処理を開始してから終了するまでの間、前記処理の進行度に応じて前記バックライトの輝度を段階的に変化させるように構成されている。【選択図】図５
2014116819.tif 000002
【特許請求の範囲】
【請求項１】
画像を表示させる表示パネルと、
前記表示パネルを照明する光源としてのバックライトと、
前記表示パネルの表示を制御するとともに、前記バックライトの輝度を制御するプロセッサとを備え、
前記プロセッサは、ユーザの所望の画面を前記表示パネルに表示するために実行する処理を開始してから終了するまでの間、前記処理の進行度に応じて前記バックライトの輝度を段階的に変化させるように構成されている、端末装置。
【請求項２】
前記処理の進行度に応じて前記バックライトの輝度を段階的に変化させることは、前記処理が進行するにつれて、前記バックライトの輝度を段階的に低下させることを含む、請求項１に記載の端末装置。
【請求項３】
前記処理の進行度に応じて前記バックライトの輝度を段階的に変化させることは、前記進行度が予め定められた閾値未満であるとき、前記処理が進行するにつれて前記バックライトの輝度を段階的に低下させ、前記進行度が予め定められた閾値以上であるとき、前記処理が進行するにつれて前記バックライトの輝度を段階的に増大させることを含む、請求項１に記載の端末装置。
【請求項４】
前記プロセッサは、前記所望の画面が前記表示パネルに表示された場合、前記処理を開始する前の輝度に前記バックライトの輝度を復帰させるように構成されている、請求項１〜３のいずれか１項に記載の端末装置。
【請求項５】
前記進行度は、前記処理を開始してから完了するまでの全処理量に対する、前記処理を開始してから現在までの処理量の割合、あるいは前記処理を開始してから完了するまでの全処理時間に対する、前記処理を開始してから現在までの処理時間の割合を含む、請求項１〜４のいずれか１項に記載の端末装置。
【発明の詳細な説明】
【技術分野】
【０００１】
本発明は、端末装置に含まれるバックライトの輝度を調整することが可能な端末装置に関する。
【背景技術】
【０００２】
携帯電話、スマートフォンなどの携帯型の電子機器では、液晶ディスプレイあるいは有機ＥＬ（(Electro  Luminescence）ディスプレイを搭載するものが知られている。例えば、液晶ディスプレイを搭載した電子機器では、液晶パネルの背面からバックライトで光を照射している。当該電子機器では、バックライトの消費電力を低減するために、一定時間以上の間ユーザからの操作を受け付けない場合には、バックライトを消灯するなどの省電力対策が講じられている。ここで、一定時間放置しなくても、ユーザにとって重要度の低い画面を表示するときに表示画面の輝度を低下することで省電力化を図ったものが知られている。
【０００３】
例えば、特開２００９−２５３３３３号公報（特許文献１）には、情報端末が開示されている。情報端末は、ユーザの所望の画面を端末装置に表示するときに、端末装置にこの所望の画面が表示されたか否かを判断する判断手段と、判断手段により所望の画面が表示されていないと判断された場合、所望の画面が表示されるまでの間の少なくとも一部の時間、端末装置の画面の輝度を低下させる制御手段とを含む。
【先行技術文献】
【特許文献】
【０００４】
【特許文献１】特開２００９−２５３３３３号公報
【発明の概要】
【発明が解決しようとする課題】
【０００５】
しかしながら、特許文献１の技術では、携帯電話を起動する処理が開始されるとすぐに一定のレベルまで輝度を落として、この処理が終了するまで当該輝度のレベルが維持される。そのため、ユーザは、画面を注視し続ける必要がない重要度の低い画面がどれぐらい続くのかを一見して把握することができないという問題があった。
【０００６】
本発明は、上記のような問題を解決するためになされたものであって、消費電力を低減するとともに、所望の画面が表示されるまでの進捗状況をユーザが容易に把握することが可能な端末装置を提供することを目的とする。
【課題を解決するための手段】
【０００７】
ある実施の形態に従う端末装置は、画像を表示させる表示パネルと、表示パネルを照明する光源としてのバックライトと、表示パネルの表示を制御するとともに、バックライトの輝度を制御するプロセッサとを含む。プロセッサは、ユーザの所望の画面を表示パネルに表示するために実行する処理を開始してから終了するまでの間、処理の進行度に応じてバックライトの輝度を段階的に変化させるように構成されている。
【発明の効果】
【０００８】
消費電力を低減するとともに、所望の画面が表示されるまでの進捗状況をユーザが容易に把握することが可能となる。
【図面の簡単な説明】
【０００９】
【図１】実施の形態１に従う端末装置の外観を示す模式図である。
【図２】実施の形態１に従う端末装置のハードウェア構成を示すブロック図である。
【図３】実施の形態１における進行度とバックライト輝度との関係を示す図である。
【図４】図３に示した進行度に対応する表示画面の一例を示す図である。
【図５】実施の形態１に従う端末装置の機能ブロック図である。
【図６】実施の形態１に従う端末装置の制御処理を示すフローチャートである。
【図７】実施の形態２に従う進行度とバックライト輝度との関係を示す図である。
【図８】図７で示した進行度に対応する表示画面の一例を示す図である。
【図９】実施の形態２に従う端末装置の制御処理を示すフローチャートである。
【発明を実施するための形態】
【００１０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１１】
［実施の形態１］
まず、図１を参照して、実施の形態１に従う端末装置１０の外観について説明する。図１は、実施の形態１に従う端末装置１０の外観を示す模式図である。以下の説明では、端末装置１０がスマートフォンである場合について説明する。ただし、端末装置１０は、種類を問わず任意の装置として実現できる。例えば、端末装置１０は、携帯電話、タブレット端末装置、ＰＤＡ（Personal  Digital  Assistance）、ノートＰＣ（Personal  Computer）などとして実現することもできる。
【００１２】
図１に示されるように、端末装置１０は、表示装置として機能するディスプレイ１４０と、ユーザによってディスプレイ１４０にタッチ入力された位置を検出可能なタッチパネル１２０と、各種の操作を行なうためのボタン１３０とを含む。ディスプレイ１４０は、表示領域を有する表示パネルと、表示パネルを照明する光源としてのバックライトとを含む。表示パネル上には透明なタッチパネル１２０が取り付けられており、ユーザのタッチ操作に基づく各種の指示を受け付けることが可能である。
【００１３】
次に、図２を参照して、実施の形態１に従う端末装置１０のハードウェア構成について説明する。図２は、実施の形態１に従う端末装置１０のハードウェア構成を示すブロック図である。
【００１４】
図２に示されるように、端末装置１０は、主たる構成要素として、ＣＰＵ（Central  Processing  Unit）１００と、メモリ１１０と、タッチパネル１２０と、ボタン１３０と、ディスプレイ１４０と、メモリインターフェイス（Ｉ／Ｆ）１５０と、通信インターフェイス（Ｉ／Ｆ）１６０と、無線通信部１７０と、通信アンテナ１７２と、スピーカ１８０と、マイク１９０とを含む。
【００１５】
ＣＰＵ１００は、メモリ１１０に記憶されたプログラムを読み出して実行することで、端末装置１０の各部の動作を制御する。より詳細にはＣＰＵ１００は、当該プログラムを実行することによって、後述する端末装置１０の処理（ステップ）の各々を実現する。ＣＰＵ１００は、例えば、マイクロプロセッサである。なお、当該ハードウェアは、ＣＰＵ以外のＦＰＧＡ（Field  Programmable  Gate  Array）、ＡＳＩＣ（Application  Specific  Integrated  Circuit）およびその他の演算機能を有する回路などであってもよい。
【００１６】
メモリ１１０は、ＲＡＭ（Random  Access  Memory）、ＲＯＭ（Read-Only  Memory）、ハードディスクなどによって実現される。メモリ１１０は、ＣＰＵ１００によって実行されるプログラム、またはＣＰＵ１００によって用いられるデータなどを記憶する。
【００１７】
タッチパネル１２０は、ディスプレイ１４０に含まれる表示パネル１４２上に設けられる。タッチパネル１２０は、抵抗膜方式、表面弾性波方式、赤外線方式、電磁誘導方式、静電容量方式などのいずれのタイプであってもよいし、光センサ液晶を含んでもよい。タッチパネル１２０は、外部の物体によるタッチパネルへのタッチ操作を検知して、タッチ座標（タッチ位置）をＣＰＵ１００に入力する。
【００１８】
ボタン１３０は、端末装置１０の本体部分の表面に配置されており、ユーザからの指示を受け付けて、ＣＰＵ１００に入力する。ボタン１３０は、例えば、表示画面を遷移させる画面遷移ボタン、確定ボタン、キャンセルボタンなどを含む。
【００１９】
ディスプレイ１４０は、画像を表示させる表示パネル１４２と、表示パネル１４２を照明する光源としてのバックライト１４４を含む。バックライト１４４は、表示パネル１４２の背面に重ねて配置される。表示パネル１４２は、ＣＰＵ１００からの制御信号に基づいて、表示画面に画像を表示することができる。バックライト１４４は、ＣＰＵ１００からの制御信号に基づいて輝度を調整することができる。これにより、ディスプレイ１４０は、ＣＰＵ１００からの信号に基づいて、画像やテキストなどの各種情報を表示する。
【００２０】
メモリインターフェイス１５０は、外部の記憶媒体１５２からデータを読み出す。なお、記憶媒体１５２としては、ＳＤ（Secure  Digital（登録商標））メモリーカード、ＣＤ（Compact  Disc）、ＤＶＤ（Digital  Versatile  Disk）、ＢＤ（Blu-ray  Disc）、ＵＳＢ（Universal  Serial  Bus）メモリなどの、不揮発的にプログラムを格納する媒体が挙げられる。
【００２１】
通信インターフェイス１６０は、端末装置１０と外部装置との間で各種データをやり取りする。通信方式としては、例えば、Ｂｌｕｅｔｏｏｔｈ（登録商標）などによる近距離無線通信である。
【００２２】
無線通信部１７０は、通信アンテナ１７２を介して移動体通信網に接続し無線通信のための信号の送受信を行なう。これにより、端末装置１０は、たとえば、第３世代移動通信システム（３Ｇ）、ＬＴＥ（Long  Term  Evolution）などの移動体通信網を介して通信装置との通信が可能となる。
【００２３】
スピーカ１８０は、ＣＰＵ１００の指示により、音声を出力する。マイク１９０は、ユーザの音声を入力する。
【００２４】
次に、図３および図４を参照して端末装置１０の動作概要について説明する。概略として、端末装置１０は、ユーザの所望の画面を表示パネル１４２に表示するために実行する処理を開始してから終了するまでの間、当該処理の進行度に応じてバックライト１４４の輝度（以下、単に「バックライト輝度」とも称する。）を段階的に変化させる。ここで、「ユーザの所望の画面を表示パネル１４２に表示するために実行する処理」とは、ユーザの所望の画面を表示パネル１４２に表示するまでに必要な処理である。
【００２５】
具体的に説明すると、端末装置１０が、例えば、サーバから映像や画像などのファイル（データ）をダウンロードする場合には、ダウンロードを開始してから終了するまでの間、ダウンロード中である旨を示す画面が表示されるか、あるいは画面が更新されていない状態が維持されるため、ユーザにとってこの状態の画面は重要度が低く所望の画面ではない。「ユーザの所望の画面」とは、ダウンロードが終了することによりその旨が表示された画面である。すなわち、この場合、「ユーザの所望の画面を表示パネル１４２に表示するために実行する処理」とは、ダウンロードが終了した旨の画面を表示するためにファイルをダウンロードする処理である。また、「進行度」とは、所望の画面を表示するために実行する処理を開始してから終了するまでの全処理量に対する、当該処理を開始してから現在までの処理量の割合、あるいは当該処理を開始してから終了するまでの全処理時間に対する、当該処理を開始してから現在までの処理時間の割合を含む。
【００２６】
図３は、実施の形態１における進行度とバックライト輝度との関係を示す図である。図３において、横軸の「進行度」は、ユーザの所望の画面を表示パネル１４２に表示するために実行する処理を開始してから終了するまでの当該処理の進行具合（進捗状況）を示している。また、縦軸の「輝度」は、バックライト輝度を示している。
【００２７】
図３に示されるように、ユーザの所望の画面を表示するために実行する処理が進行するにつれてバックライト輝度が段階的に低下していることがわかる。図３の例では、端末装置１０は、当該処理が２０％進行するごとに、バックライトの輝度を１段階低下させていく。そして、端末装置１０は、当該処理を終了すると、所望の画面が表示パネル１４２に表示するとともに、バックライト輝度を当該処理を開始する前の輝度に復帰させる。例えば、端末装置１０は、ファイルをダウンロードする場合には、ダウンロードが終了するまでの間、バックライト輝度を図３の例のように段階的に低下させていき、ダウンロードが終了すると、所望の画面であるダウンロードが終了した旨の画面を表示するとともに、バックライト輝度をダウンロードを開始する前の輝度に復帰させる。
【００２８】
他の例として、端末装置１０がウェブサイトを表示する場合についても同様に、ウェブサイトのコンテンツの受信を開始してから受信が終了するまでの間、ユーザにとって所望の画面は表示されない。そこで、端末装置１０は、当該コンテンツの受信が終了するまでの間、バックライト輝度を段階的に低下させていき、受信が終了すると、所望の画面として当該コンテンツを表示して、バックライト輝度をコンテンツの受信を開始する前の輝度に復帰させる。さらに他の例として、端末装置１０においてアプリケーションを起動する場合には、端末装置１０は、アプリケーションの起動が終了するまでの間、バックライト輝度を段階的に低下させていき、アプリケーションの起動が終了すると、所望の画面であるアプリケーション画面を表示するとともに、バックライト輝度をアプリケーションを起動する前の輝度に復帰させる。さらに他の例として、端末装置１０がワンセグ放送の画面を表示する場合には、ワンセグ放送の電波の受信が終了するまでの間、バックライト輝度を段階的に低下させていき、当該受信が終了すると、ワンセグ放送の画面を表示するとともに、バックライト輝度をワンセグ放送の電波を受信する前の輝度に復帰させる。
【００２９】
図４は、図３に示した進行度に対応する表示画面の一例を示す図である。ここでは、端末装置１０が、サーバからファイルをダウンロードする処理を実行する場合について想定する。
【００３０】
端末装置１０は、ダウンロードを開始する直前の状態（図４の状態（ａ））において、今からダウンロードを開始する旨を示す画面を表示する。端末装置１０は、ダウンロードを開始すると、バックライト輝度を１段階低下させる（図４の状態（ｂ））。なお、図４の状態（ｂ）では、ダウンロード中（進行度が１０％）である旨を示す情報が表示されている。次に、端末装置１０は、ダウンロードの進行度が２０％以上になると、バックライト輝度をさらに１段階低下させる（図４の状態（ｃ））。同様に、端末装置１０は、当該進行度が４０％以上（図４の状態（ｄ））、６０％以上（図４の状態（ｅ））、８０％以上（図４の状態（ｆ））になるごとに、バックライト輝度を１段階ずつ低下させる。そして、端末装置１０は、ダウンロードが終了すると（進行度が１００％）、ダウンロードが終了した旨を表示するとともに、バックライト輝度をダウンロードを開始する前の輝度に復帰させる（図４の状態（ｇ））。すなわち、端末装置１０は、バックライト輝度を図４の状態（ａ）の輝度に復帰させる。
【００３１】
上記のように、ユーザの所望の画面が表示されるまでは、バックライト輝度を通常よりも低下させるため、バックライト１４４の消費電力を低減させることができる。また、段階的にバックライト輝度を低下させることで、ユーザは、あとどれくらいで所望の画面が表示されるかを把握しやすくなる。
【００３２】
次に、図５を参照して端末装置１０の機能構成について説明する。図５は、実施の形態１に従う端末装置１０の機能ブロック図である。
【００３３】
図５に示されるように、端末装置１０は、その主たる機能構成として、実行部２０２と、表示制御部２０４と、バックライト制御部２０６とを含む。基本的には、これらの機能は、端末装置１０のＣＰＵ１００がメモリ１１０に格納されたプログラムを実行し、端末装置１０の構成要素へ指令を与えることなどによって実現される。すなわち、ＣＰＵ１００は端末装置１０の動作全体を制御する制御部としての機能を有する。なお、これらの機能構成の一部または全部は、ハードウェアで実現されていてもよい。
【００３４】
実行部２０２は、ユーザの所望の画面を表示パネル１４２に表示するために必要な処理を実行する。実行部２０２は、当該処理の進行度を表示制御部２０４およびバックライト制御部２０６に出力する。実行部２０２は、ある局面では、進行度として、当該処理を開始してから終了するまでの全処理量に対する、当該処理を開始してから現在までの処理量の割合を算出する。実行部２０２は、別の局面では、進行度として、当該処理を開始してから終了するまでの全処理時間に対する、当該処理を開始してから現在までの処理時間の割合を算出する。
【００３５】
実行部２０２は、ユーザの所望の画面を表示パネル１４２に表示するために実行する処理として、例えば、通信インターフェイス１６０（または無線通信部１７０）を介してサーバ２０からファイルをダウンロードする処理を実行したり、タッチパネル１２０（またはボタン１３０）を介してユーザからの指示を受け付けてアプリケーションを起動する処理を実行したり、ワンセグ放送の機能を起動させる処理を実行したり、サーバ２０からウェブサイトのコンテンツを受信する処理を実行したりする。
【００３６】
また、実行部２０２は、サーバ２０からの情報あるいはメモリ１１０に格納された情報に基づいて、上述した全処理量または全処理時間を算出する。例えば、実行部２０２は、ファイルをダウンロードする処理を実行する場合には、通信インターフェイス１６０を介してサーバ２０から当該ファイルのサイズを取得することで全処理量を算出し、通信速度やコンピュータの性能などを考慮して、ダウンロードにかかる全処理時間を算出する。また、実行部２０２は、アプリケーションを起動する場合には、アプリケーションごとに予め定められた起動時に必要な処理量をメモリ１１０から取得することで全処理量を算出する。この場合も、全処理時間は、コンピュータの性能などを考慮して算出される。なお、実行部２０２は、メモリ１１０に格納されたプログラムを読み出して実行することにより、上記機能を実現する。実行部２０２は、実行中の処理の一時記憶メモリとしてメモリ１１０を利用する。
【００３７】
表示制御部２０４は、表示パネル１４２の表示を制御する。より具体的には、表示制御部２０４は、実行部２０２から出力される進行度に基づいて、当該進行度を示す情報を表示パネル１４２に表示させる。また、表示制御部２０４は、進行度に基づいて実行部２０２において実行される処理が終了したと判断した場合には、ユーザの所望の画面を表示パネル１４２に表示させる。すなわち、表示制御部２０４は、進行度が１００％になった場合に、ユーザの所望の画面を表示パネル１４２に表示させる。
【００３８】
バックライト制御部２０６は、実行部２０２から出力される進行度に基づいて、バックライト輝度を段階的に変化させる。より具体的には、バックライト制御部２０６は、ユーザの所望の画面を表示パネル１４２に表示するために実行する処理（以下、「実行処理」とも称する。）が進行するにつれて、バックライト輝度を段階的に低下させる。詳細には、バックライト制御部２０６は、メモリ１１０を参照して、進行度が所定の値（例えば、２０％）大きくなるごとに、バックライト輝度を１段階低下させる。
【００３９】
なお、メモリ１１０には、バックライト輝度を変化させる段階数（例えば、５段階）を示す情報、各々の段階（ランク）に対応するバックライト輝度を示す情報（例えば、ランク１の場合にはＸ［ｃｄ／ｍ２］など）、および上述した所定の値を示す情報が格納されている。これらの情報は、ユーザによって任意に変更可能であってもよい。
【００４０】
また、バックライト制御部２０６は、所望の画面が表示パネル１４２に表示された場合、バックライト輝度を実行処理が開始される前の輝度に復帰させる。より具体的には、バックライト制御部２０６は、表示制御部２０４により所望の画面が表示パネル１４２に表示されたと判断した場合、バックライト輝度を実行処理が開始される前の輝度に復帰させる。
【００４１】
次に、図６を参照して端末装置１０の制御方式について説明する。図６は、実施の形態１に従う端末装置１０の制御処理を示すフローチャートである。以下の各ステップは、ＣＰＵ１００がメモリ１１０に格納されたプログラムを実行することによって実現される。
【００４２】
ＣＰＵ１００は、ユーザからの指示を受け付けて、ユーザの所望の画面を表示するために実行する処理（実行処理）を開始するか否かを判断する（ステップＳ１０）。例えば、実行処理が、ファイルをダウンロードする処理である場合を想定する。このとき、ＣＰＵ１００は、ユーザからファイルをダウンロードする開始指示を受け付けた場合にはダウンロード処理を開始し、開始指示を受け付けていない場合にはダウンロード処理を開始しない。
【００４３】
実行処理を開始しない場合には（ステップＳ１０においてＮＯ）、ＣＰＵ１００は、ステップＳ１０の処理を繰り返す。これに対して、実行処理を開始する場合には（ステップＳ１０においてＹＥＳ）、ＣＰＵ１００は、表示パネル１４２に実行処理を開始する旨を表示させる（ステップＳ１１）。
【００４４】
次に、ＣＰＵ１００は、実行処理の全体の処理量（または全体の処理時間）を算出し（ステップＳ１２）、現在のバックライト輝度情報（すなわち、実行処理を開始する前のバックライト輝度情報）をメモリ１１０に格納する（ステップＳ１４）。ＣＰＵ１００は、現在のバックライト輝度に基づいて、バックライト１４４が消灯状態であるか否かを判断する（ステップＳ１６）。
【００４５】
バックライト１４４が消灯状態である場合には（ステップＳ１６においてＹＥＳ）、ＣＰＵ１００は、後述するステップＳ２０の処理を実行する。これに対して、バックライト１４４が消灯状態ではない場合には（ステップＳ１６においてＮＯ）、ＣＰＵ１００は、バックライト輝度を１段階低下させる（ステップＳ１８）。
【００４６】
次に、ＣＰＵ１００は、実行処理の進行度が所定の値だけ増加するまで実行処理を進めるとともに、現在の進行度を示す情報を表示パネル１４２に表示させる（ステップＳ２０）。例えば、実行処理がファイルをダウンロードする処理であり、所定の値が２０％である場合には、ＣＰＵ１００は、ファイルのダウンロードが現時点から２０％だけ進行するまでファイルをダウンロードして、ダウンロードがｎ％終了した旨を表示パネル１４２に表示する。
【００４７】
次に、ＣＰＵ１００は、実行処理が終了したか否かを判断する（ステップＳ２２）。実行処理が終了していない場合には（ステップＳ２２においてＮＯ）、ＣＰＵ１００は、ステップＳ１６からの処理を繰り返す。これに対して、実行処理が終了した場合には（ステップＳ２２においてＹＥＳ）、ＣＰＵ１００は、実行処理が終了した旨を示す情報を表示パネル１４２に表示し（ステップＳ２４）、メモリ１１０に格納された開始前のバックライト輝度情報に基づいて、現時点のバックライト輝度を実行処理を開始する前の輝度に復帰させる（ステップＳ２６）。そして、ＣＰＵ１００は、処理を終了する。
［実施の形態２］
実施の形態２に従う端末装置１０の外観およびハードウェア構成については、実施の形態１に従う端末装置１０のそれと同様であるため、その詳細な説明は繰り返さない。
【００４８】
図７および図８を参照して実施の形態２に従う端末装置１０の動作概要について説明する。概略として、実施の形態２に従う端末装置１０は、ユーザの所望の画面を表示パネル１４２に表示するために実行する処理（実行処理）の進行度が予め定められた閾値未満であるとき、実行処理が進行するにつれてバックライト輝度を段階的に低下させ、進行度が予め定められた閾値以上であるとき、実行処理が進行するにつれてバックライト輝度を段階的に増大させる。
【００４９】
図７は、実施の形態２に従う進行度とバックライト輝度との関係を示す図である。図７に示されるように、端末装置１０は、進行度が６０％未満である場合には実行処理が進行するにつれてバックライト輝度を段階的に低下させ、進行度が６０％以上である場合には実行処理が進行するにつれてバックライト輝度を段階的に増大させる。
【００５０】
図８は、図７で示した進行度に対応する表示画面の一例を示す図である。ここでは、端末装置１０が、サーバからファイルをダウンロードする場合について想定する。
【００５１】
端末装置１０は、ダウンロードを開始する直前の状態（図８の状態（ａ））において、今からダウンロードを開始する旨を示す画面を表示する。そして、端末装置１０は、ダウンロードを開始すると、バックライト輝度を１段階低下させる（図８の状態（ｂ））。次に、端末装置１０は、ダウンロードの進行度が２０％以上になると、バックライト輝度をさらに１段階低下させる（図８の状態（ｃ））。端末装置１０は、当該進行度が４０％以上になると、バックライト輝度をさらに１段階低下させる（図８の状態（ｄ））。一方、端末装置１０は、進行度が６０％以上になると、バックライト輝度を１段階増大させる（図８の状態（ｅ））。そして、進行度が８０％以上になると、バックライト輝度をさらに１段階増大させる（図８の状態（ｆ））。そして、端末装置１０は、ダウンロードが終了すると（当該進行度が１００％）、ダウンロードが終了した旨を表示するとともに、バックライト輝度をダウンロードを開始する前の輝度に復帰させる（図８の状態（ｇ））。
【００５２】
上記のように、ユーザの所望の画面が表示されるまでは、バックライト輝度を通常よりも低下させるため、バックライト１４４の消費電力を低減させることができる。また、実行処理がある程度進行するまでは段階的にバックライト輝度を低下させ、実行処理がある程度進行したら段階的にバックライト輝度を増大させるため、ユーザがあとどれくらいで所望の画面が表示されるかを容易に把握しやすくなる。
【００５３】
次に、図５を参照して、実施の形態２に従う端末装置１０の機能構成について説明する。なお、実施の形態２に従う端末装置１０と同様の機能構成（実行部２０２および表示制御部２０４）についてはその詳細な説明は繰り返さない。
【００５４】
バックライト制御部２０６は、実行部２０２から出力される実行処理の進行度に基づいて、バックライト輝度を段階的に変化させる。より具体的には、バックライト制御部２０６は、進行度が予め定められた閾値未満であるとき、実行処理が進行するにつれてバックライト輝度を段階的に低下させ、進行度が予め定められた閾値以上であるとき、実行処理が進行するにつれてバックライト輝度を段階的に増大させる。詳細には、バックライト制御部２０６は、進行度が予め定められた閾値（例えば、６０％）未満の場合、進行度が所定の値（例えば、２０％）大きくなるごとに、バックライト輝度を１段階低下させていき、進行度が予め定められた閾値以上になると、進行度が所定の値大きくなるごとに、バックライト輝度を１段階増大させていく。また、バックライト制御部２０６は、所望の画面が表示パネル１４２に表示された場合、バックライト輝度を実行処理を開始する前の輝度に復帰させる。
【００５５】
次に、図９を参照して実施の形態２に従う端末装置１０の制御処理について説明する。図９は、実施の形態２に従う端末装置１０の制御処理を示すフローチャートである。以下の各ステップは、ＣＰＵ１００がメモリ１１０に格納されたプログラムを実行することによって実現される。
【００５６】
ステップＳ１０〜ステップＳ２０までの処理は、図６で示した処理と同様であるため、その詳細な説明は繰り返さない。
【００５７】
ＣＰＵ１００は、進行度が予め定められた閾値以上になったか否かを判断する（ステップＳ５０）。進行度が予め定められた閾値以上ではない場合には（ステップＳ５０においてＮＯ）、ＣＰＵ１００は、ステップＳ１６からの処理を繰り返す。これに対して、進行度が予め定められた閾値以上である場合には（ステップＳ５０においてＹＥＳ）、ＣＰＵ１００は、バックライト輝度を１段階増大させる（ステップＳ５２）。次に、ＣＰＵ１００は、進行度が所定の値だけ増加するまで実行処理を進めるとともに、現在の進行度を示す情報を表示パネル１４２に表示させる（ステップＳ５４）。
【００５８】
次に、ＣＰＵ１００は、実行処理が終了したか否かを判断する（ステップＳ５６）。実行処理が終了していない場合には（ステップＳ５６においてＮＯ）、ＣＰＵ１００は、ステップＳ５２からの処理を繰り返す。これに対して、実行処理が終了した場合には（ステップＳ５６においてＹＥＳ）、ＣＰＵ１００は、実行処理が終了した旨を示す情報を表示パネル１４２に表示し（ステップＳ５８）、メモリ１１０に格納された開始前バックライト輝度情報に基づいて、現時点のバックライト輝度を実行処理を開始する前の輝度に復帰させる（ステップＳ６０）。そして、ＣＰＵ１００は、処理を終了する。
【００５９】
［実施の形態３］
なお、実施の形態３として、コンピュータを機能させて、上述したフローチャートで説明したような制御を実行させるプログラムを提供することもできる。このようなプログラムは、コンピュータに付属するフレキシブルディスク、ＣＤ−ＲＯＭ、ＲＯＭ、ＲＡＭおよびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６０】
プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【００６１】
また、実施の形態３にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、実施の形態３にかかるプログラムに含まれ得る。
【００６２】
［実施の形態の効果］
本実施の形態によると、ユーザの所望の画面を表示するまでバックライトの輝度が段階的に変化するため、ユーザは画面を注視し続ける時間がどの程度かを容易に把握することができる。そのため、ユーザに対して進捗具合がどの程度かを操作させる手間も必要ない。また、ユーザの所望の画面を表示するまでは通常よりもバックライト輝度を低下させるため、バックライトの消費電力を低減することもできる。すなわち、消費電力を低減するとともに、所望の画面が表示されるまでの進捗状況をユーザが容易に把握することが可能となる。
【００６３】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６４】
１０  端末装置、２０  サーバ、１１０  メモリ、１２０  タッチパネル、１３０  ボタン、１４０  ディスプレイ、１４２  表示パネル、１４４  バックライト、１５０  メモリインターフェイス、１５２  記憶媒体、１６０  通信インターフェイス、１７０  無線通信部、１７２  通信アンテナ、１８０  スピーカ、１９０  マイク、２０２  実行部、２０４  表示制御部、２０６  バックライト制御部。
【図１】
2014116819.tif 000003
【図２】
2014116819.tif 000004
【図３】
2014116819.tif 000005
【図５】
2014116819.tif 000006
【図６】
2014116819.tif 000007
【図７】
2014116819.tif 000008
【図９】
2014116819.tif 000009
【図４】
2014116819.tif 000010
【図８】
2014116819.tif 000011